(57)【特許請求の範囲】
【請求項１】
レンズを保持したレンズ保持部と、バリア羽根を開閉させる駆動リングと、前記駆動リングの当接部が当接され且つ前記バリア羽根の回転軸の近傍から突設したレバー部と、前記レンズ保持部の開口部の周囲にカシメによって前記レンズを固定する円筒上に形成されたレンズ固定枠部と、前記レンズ固定枠部の円筒形開口部における開口端部を所定幅に渡って切欠して形成された凹部と、を有し、鏡筒枠に保持された前記レンズの前面に前記バリア羽根を開閉可能に装着したレンズ鏡筒であって、
光軸方向から見た場合、前記凹部のスペース内で、前記駆動リングの当接部と前記バリア羽根のレバー部が当接され、
光軸方向から見た場合、前記バリア羽根は前記回転軸を中心に回動して開閉する際に、前記レバー部が前記凹部のスペース内を移動することを特徴とするレンズ鏡筒。
【発明の詳細な説明】
【技術分野】
【０００１】
本発明は、撮影光学系のレンズ前面を保護する開閉式のバリア装置を鏡筒枠に装着したレンズ鏡筒に関する。
【背景技術】
【０００２】
一般に、カメラに装着されるバリア装置付きレンズ鏡筒には、鏡筒枠の進退移動動作に連動してバリア羽根を開閉する方式のバリア装置を備えたものが用いられている。
【０００３】
このバリア装置付きレンズ鏡筒には、筒状に形成した鏡筒枠の内部に、鏡筒枠内周面から筒内中心に向けてリング状のレンズ保持部を一体的に延設する。このレンズ保持部の中央部には、小筒状の筒環部を一体に形成し、この筒環部の開口内にレンズを配置し、筒環部の周縁部をカシメ加工してレンズを固定する構造のものがある。
【０００４】
このような構造のバリア装置付きレンズ鏡筒では、撮影光学系レンズの光路を最大限に確保するため、鏡筒枠内におけるレンズ外周と、鏡筒枠の内周面との間にできる空間を利用してバリア装置が装着されている。
【０００５】
このバリア装置を構成するため、鏡筒枠には、レンズを固定している筒環部の外周面を摺動面として光軸周りに回転可能に駆動リングを装着する。さらに、鏡筒枠内には、駆動リングの回転動作に対応して撮影レンズの前面を開閉するようにバリア羽根を装着している（例えば、特許文献１参照）。
【特許文献１】特開２００４−２５８１２０号公報
【発明の開示】
【発明が解決しようとする課題】
【０００６】
このような構成のバリア装置付きレンズ鏡筒において、鏡筒枠内の筒環部に対して熱カシメによりレンズを固定する場合には、鏡筒枠内の筒環部におけるリング状の自由端円周部が、熱カシメ加工で変形する。さらに、この熱カシメ加工の際に、鏡筒枠内の筒環部には、筒環部の外周方向（ラジアル方向）に突出するカシメ凸部ができる。
【０００７】
このため、筒環部の外周面に、駆動リングを軸着する場合には、カシメ凸部との干渉を回避する為に、カシメ凸部の出っ張り高さ以上の凸部となる軸受部を筒環部の外周上に設けなくてはならない。このような軸受部を筒環部の外周面上に設ける場合には、筒環部が肉厚となり外径が拡大する。よって、外径が拡大した筒環部に軸着される駆動リングの内径も広げなければならず、これに伴って外径も大きくなるので、駆動リング全体も大型化する。
【０００８】
また、バリア装置付きレンズ鏡筒には、駆動リングの外周面が、鏡筒枠の内周面上を摺動するように軸着する構造をとるものがある。この構造の場合には、筒環部の外周面からカシメ凸部が突出する。そこで、筒環部の外周面からカシメ凸部に対向する駆動リングの内周面がカシメ凸部と干渉することを避けるために、筒環部の外周面と駆動リングの内周面との間に大きな逃げ間隔を設ける必要がある。
【０００９】
よって、駆動リングは、その内径を広げることが必要となり、駆動リングの外径が大きくなる。さらに、駆動リングは、外径が大きくなることに起因して、バリア装置に関わるあらゆる部品を外径方向にシフトして配置しなければならなくなるため、鏡筒枠の外径が拡大し、バリア装置付きレンズ鏡筒全体が大型化する。なお、バリア装置付きレンズ鏡筒では、レンズを接着剤によって鏡筒枠内のレンズ保持部における筒環部に貼着する場合にも、接着剤のはみ出しなどによりカシメ凸部と同様の凸部が形成される場合がある。この場合でも、バリア装置付きレンズ鏡筒は、接着剤のはみ出しなどによりできた凸部に起因して、全体が大型化することになる。
【００１０】
本発明の目的は、鏡筒枠内のレンズ保持部にレンズを固定し、このレンズと鏡筒枠との間にコンパクトにバリア装置を装着して小型化を図ったレンズ鏡筒を提供することにある。
【課題を解決するための手段】
【００１１】
上記目的を達成するために、本発明のレンズ鏡筒は、レンズを保持したレンズ保持部と、バリア羽根を開閉させる駆動リングと、前記駆動リングの当接部が当接され且つ前記バリア羽根の回転軸の近傍から突設したレバー部と、前記レンズ保持部の開口部の周囲にカシメによって前記レンズを固定する円筒上に形成されたレンズ固定枠部と、前記レンズ固定枠部の円筒形開口部における開口端部を所定幅に渡って切欠して形成された凹部と、を有し、鏡筒枠に保持された前記レンズの前面に前記バリア羽根を開閉可能に装着したレンズ鏡筒であって、光軸方向から見た場合、前記凹部のスペース内で、前記駆動リングの当接部と前記バリア羽根のレバー部が当接され、光軸方向から見た場合、前記バリア羽根は前記回転軸を中心に回動して開閉する際に、前記レバー部が前記凹部のスペース内を移動することを特徴とする。
【発明の効果】
【００１２】
本発明によれば、鏡筒枠内のレンズ保持部にレンズを固定した部分に逃げ凹部を設けることによって、このレンズ外周と鏡筒枠との間のスペースを広げて、コンパクトにバリア装置を構成することにより、レンズ鏡筒を小型化できるという効果がある。
【発明を実施するための最良の形態】
【００１３】
以下、本発明の実施の形態について図面を参照しながら説明する。
【００１４】
図１は、本発明の実施の形態に係わるバリア装置付きレンズ鏡筒の要部となる部品を示す分解斜視図である。
【００１５】
図１において、本実施の形態のバリア装置付きレンズ鏡筒は、レンズ１０を保持する鏡筒枠１の自由端部側に、バリア装置を組み込んで構成する。また、鏡筒枠１の基端部側には、図示しないが、回転操作されるカム筒を装着する。この鏡筒枠１は、カム筒の回転動作に連動して光軸方向に進退移動するよう構成されている。
【００１６】
この鏡筒枠１は、図２、図７、図８、図９、図１０、図１２、図１３及び図１４に示すように構成する。図２は、鏡筒枠を取り出して示す拡大斜視図である。図７は、バリア開き状態におけるバリア装置の正面図である。図８は、図７のＡ−Ａ線による切断面を示す断面図である。図９は、鏡筒枠１にレンズ１０を固定する構造部分を取り出して示す要部拡大断面図である。図１０は、鏡筒枠１にレンズ１０を固定する他の構造部分を取り出して示す要部拡大断面図である。
【００１７】
図２に示すように、鏡筒枠１の外周部における基端部側には、所定６箇所から光軸方向に矩形突片を突設し、その自由端近くの内側から中心方向（ラジアル方向）に向けてカム筒に連動される連動ピン１１を突設する。
【００１８】
この鏡筒枠１の筒穴の内側には、レンズ１０を保持するためのレンズ保持部１０１を設ける。図８に示すように、このレンズ保持部１０１は、筒状に形成した鏡筒枠１の筒穴の内部に、鏡筒枠１内周面から筒穴内中心に向けて一体的に延出するリング板部１１１を備える。さらにレンズ保持部１０１には、リング板部１１１の中央開口部の周囲を断面略Ｕ字状に形成することにより、中央開口周囲のレンズ固定枠部１１０Ａと、その外側に同芯円状に配置された軸受部１１０Ｂとを一体的に設けて構成する。
【００１９】
すなわち、このレンズ保持部１０１の円形開口部の周囲は、小円筒状のレンズ固定枠部１１０Ａに形成する。このレンズ固定枠部１１０Ａの小円筒内周面部１２０には、レンズ１０を固定手段である熱カシメ構造で固着して配置する。このため小円筒内周面部１２０には、断面を階段状とすることにより輪状の載置用端面を設けた、保持用段部１２１を形成する。また、レンズ１０の外周部には、断面を階段状に形成した段周部１０Ａを形成する。
【００２０】
このレンズ固定枠部１１０Ａにレンズ１０を熱カシメ加工で固定する加工では、レンズ固定枠部１１０Ａの内周面部１２０に、レンズ１０の段周部１０Ａを載置する。
【００２１】
そして、この状態で図９に示すように、内周面部１２０の開口周部の自由端部側の部分を熱カシメ加工により塑性変形させて熱カシメ形状凸部１０５を形成する。これによりレンズ１０は、その段周部１０Ａを熱カシメ形状凸部１０５と保持用段部１２１とに挟持された状態で鏡筒枠１のレンズ固定枠部１１０Ａに保持される。
【００２２】
この熱カシメ形状凸部１０５は、内周面部１２０の先端角部がレンズ１０側に折曲されるよう突出する形状となる。これと共に、熱カシメ形状凸部１０５には、先端角部と反対の位置の部分がレンズ固定枠部１１０Ａの外周面部１２２から光軸Ｏを中心としたラジアル方向外側に向けて三角形状に突出する、突部１２３が形成される。
【００２３】
図２に示すように、鏡筒枠１のレンズ保持部１０１には、リング板部１１１の各所定位置に、各第１バリア羽根４の回転軸棒４０３を支受する回転軸受部である第１軸受孔１０４を設ける。これと共に、リング板部１１１の各所定位置には、各第２バリア羽根３の回転軸棒３０３を支受する回転軸受部である第２軸受孔１０３を設ける。この鏡筒枠１では、バリア装置を構成するため、２つの第１バリア羽根４と、２つの第２バリア羽根３とを開閉可能に装着する。このため、リング板部１１１の２箇所の所定対称位置（光軸Ｏを通る直径方向に対応した２箇所の所定位置）に、それぞれ回転軸受部である第１軸受孔１０４と、第２軸受孔１０３とを設ける。なお、バリア装置は、単数又は複数のバリア羽根で構成しても良い。
【００２４】
また、鏡筒枠１のレンズ保持部１０１には、回転軸受部である各第１軸受孔１０４に対応した各近傍の所定位置に、逃げ凹部１０２を形成する。この逃げ凹部１０２は、レンズ固定枠部１１０Ａの円筒形開口部における開口端部を所定幅に渡って切欠した形状に形成する。
【００２５】
すなわち、このレンズ固定枠部１１０Ａでは、逃げ凹部１０２が予め形成され、その後にレンズ１０を熱カシメで固定する加工が行われる。そして、このレンズ固定枠部１１０Ａの逃げ凹部１０２は、熱カシメ形状凸部１０５を含む小筒部の開口端部側が補強用リブ部２０２の幅以上の幅に渡って所定深さ欠如している側面視が矩形溝状の形成を呈する。
【００２６】
この逃げ凹部１０２は、後述する第１バリア羽根４に設けたレバー部４０２を、駆動リング２に設けた当接部２０３に当接させることにより少なくとも開動作させるためのスペースとしても利用されるものである。なお、逃げ凹部１０２は、補強用リブ部２０２と同数設ける。
【００２７】
図８乃至図１０に示すように、鏡筒枠１のレンズ保持部１０１に設けた軸受部１１０Ｂには、駆動リング（ドライブリング）２を軸着する。このため、軸受部１１０Ｂには、その内周面に相当する周側軸受面部１３０に、駆動リング２を支受させる。すなわち、この駆動リング２は、周側軸受面部１３０上を摺動する、いわゆる外径嵌合状態で、鏡筒枠１に対して回転自在となるように支受される。
【００２８】
この駆動リング２は、図３乃至図６に示すように構成する。図３は、駆動リング２を取り出して示す正面図である。図４は、駆動リング２を取り出して示す斜視図である。図５は、駆動リング２を取り出して示す背面図である。図６は、駆動リング２の外径嵌合部２０６が設けられた部分を取り出して示す要部拡大背面図である。
【００２９】
図示するように、駆動リング２は、円環状の部材である嵌合レール部２００を備える。この嵌合レール部２００には、その外周面上の複数箇所（ここでは６等分の各箇所）に、軸受部１１０Ｂの周側軸受面部１３０に摺接する外径嵌合部２０６を突設する。この外径嵌合部２０６は、所定長さの円弧形の台状に形成され、嵌合レール部２００の外周面上に一体的に設けられる。
【００３０】
この駆動リング２を、レンズ保持部１０１の軸受部１１０Ｂに取り付ける取り付け構造では、駆動リング２の嵌合レール部２００を、鏡筒枠１のレンズ保持部１０１における断面略Ｕ字状の環状溝内に挿入する。さらに、この取り付け構造では、嵌合レール部２００に設けられた複数個（ここでは６個）の外径嵌合部２０６を、軸受部１１０Ｂの周側軸受面部１３０上に摺接させることにより、駆動リング２が回転自在となるように取り付ける。
【００３１】
この駆動リング２では、嵌合レール部２００の前方側端面（レンズ保持部１０１に取り付ける側と反対側の端面）に、第１補助部材２１０と、第２補助部材２１１とを配置する。これら第１補助部材２１０及び第２補助部材２１１は、それぞれ半円弧状に形成し、それぞれの先端部に、第１バリア羽根４に設けたレバー部４０２に連動させるための当接部２０３を形成する。
【００３２】
この駆動リング２では、第１補助部材２１０先端の当接部２０３が第２補助部材２１１の基端部に所定間隔を開けて対向し、第２補助部材２１１先端の当接部２０３が第１補助部材２１０の基端部に所定間隔を開けて対向するように構成する。
【００３３】
また、この駆動リング２には、第１補助部材２１０を配置した部位の中間位置の外周部と、第２補助部材２１１を配置した部位の中間位置の外周部とに、それぞれ小矩形突片２１２を突設する。各小矩形突片２１２の前方側平面上には、バネ掛け部２０１を設ける。
【００３４】
このように構成された駆動リング２では、相互に向き合う当接部２０３と基端部との間に、嵌合レール部２００だけで橋渡された構造の第１バリア羽根４の操作用スペースが形成される。すなわち、この駆動リング２では、第１バリア羽根４の操作用スペースの部分だけが、第１補助部材２１０、第２補助部材２１１及び小矩形突片２１２で補強されていないことになる。
【００３５】
この第１バリア羽根４の操作用スペースが形成された駆動リング２は、鏡筒枠１に図１５に示すように取り付けられる。図１５は、鏡筒枠１に駆動リング２と第１バリア羽根４とを取り付けた状態を示す正面図である。
【００３６】
この図１５に示すように、本実施の形態に係わるバリア装置付きレンズ鏡筒では、鏡筒枠１に取り付けられた状態の駆動リング２における第１バリア羽根４の操作用スペースに対応した部分に、種々の部品が集約される。すなわち、この鏡筒枠１では、光軸Ｏに垂直な平面で光軸Ｏを通る略一直線上に、駆動リング２における第１バリア羽根４の操作用スペース部分、回転中心軸４０３、バネ掛け部４０１及びレバー部４０２を配置する必要がある。このため、この部分のクリアランス設定が、そのまま鏡筒枠１の外径に反映されることになる。
【００３７】
このため、この駆動リング２は、第１バリア羽根４の操作用スペース部分の嵌合レール部２００を、スラスト方向に肉薄に形成し、ラジアル方向の外径を小さくすると共に、強度を維持するように構成することが必要となる。
【００３８】
そこで、図３、図４及び図９に示すように、駆動リング２の操作用スペース設定部（弱強度部分）の範囲に対応した内周面の所定部所から畝状に隆起する補強用リブ部２０２を形成する。すなわち、この補強用リブ部２０２には、第１バリア羽根４の操作用スペースを設けるため嵌合レール部２００をスラスト方向に肉薄に形成した操作用スペース設定部（弱強度部分）の範囲に補強用リブ部２０２を形成する。この補強用リブ部２０２は、嵌合レール部２００における、駆動リング２の後方側端面から前方側端面寄りの所定位置までの間の内周面を、正面視矩形状に隆起させて形成する。これにより、図９に示すように、この補強用リブ部２０２は、その前方側端面２０２Ａの上に熱カシメ形状凸部１０５を入れる逃げ空間ができるように構成される。
【００３９】
この補強用リブ部２０２が形成された駆動リング２を鏡筒枠１に取り付ける場合には、鏡筒枠１のレンズ保持部１０１に形成されている前述した逃げ凹部１０２の部分に、補強用リブ部２０２を通して、駆動リング２を嵌め込む。このため、逃げ凹部１０２の円周方向の幅は、補強用リブ部２０２の円周方向の幅以上の大きさに形成する。
【００４０】
なお、鏡筒枠１に取り付けられた駆動リング２は、図９に示すように、駆動リング２における補強用リブ部２０２の前方側端面２０２Ａが熱カシメ形状凸部１０５の下側に入り込む状態で、レンズ固定枠部１１０Ａの周りに回転する。よって、駆動リング２の補強用リブ部２０２が熱カシメ形状凸部１０５に干渉されることはない。
【００４１】
言い換えると、上述したバリア装置付きレンズ鏡筒の構成によれば、鏡筒枠１におけるレンズ固定枠部１１０Ａに逃げ凹部１０２（図２に図示）を設けている。これにより、駆動リング２の操作用スペース設定部（弱強度部分）には、ラジアル方向内径部（内周面部）に補強用リブ部２０２を設けることが可能となった。これにより、駆動リング２の操作用スペース設定部（弱強度部分）を構成する嵌合レール部２００の断面積を増加して強度を確保することができ、駆動リング２の外径を小さく抑えて全体的に小型化を図ることができる。
【００４２】
このように駆動リング２が取り付けられた鏡筒枠１には、一対の第１バリア羽根４を装着する。各第１バリア羽根４は、回転軸棒４０３をそれぞれ対応する第１軸受孔１０４に挿入して回転自由に取り付ける。
【００４３】
さらに、この鏡筒枠１では、駆動リング２の回転駆動に追従してバリア羽根４が開閉動作するように構成する。このため、この鏡筒枠１では、駆動リング２の各当接部２０３をバリア羽根４の回転軸棒４０３近くの所定位置から突設した突部であるレバー部４０２（図１に図示）に当接させるように構成する。
【００４４】
また、この鏡筒枠１では、鏡筒枠１のレンズ固定枠部１１０Ａの一部を切欠して形成した逃げ凹部１０２のスペース内で、駆動リング２の当接部２０３とバリア羽根４のレバー部４０２とが当接するように構成する。
【００４５】
すなわち、第１バリア羽根４が回転軸棒４０３を中心に回動して開閉動作をする際に、レバー部４０２が逃げ凹部１０２のスペース内を移動するように構成する。このように構成した場合には、レバー部４０２がレンズ１０の外周近くを移動するようにして、第１バリア羽根４のレバー部４０２及び回転軸棒４０３の位置を光軸Ｏに近づけることができる。よって、鏡筒枠１全体の外径を小さく構成できる。
【００４６】
例えば、鏡筒枠１では、レンズ保持部１０１に逃げ凹部１０２を設けない場合、レバー部４０２がレンズ保持部１０１と衝突することを避ける必要がある。このため、鏡筒枠１では、レバー部４０２がレンズ保持部１０１の外周面より外側を移動するよう構成することになり、第１バリア羽根４のレバー部４０２及び回転軸棒４０３の位置が光軸Ｏから遠ざかることとなり、鏡筒枠１全体の外径が大きくなる。
【００４７】
本鏡筒枠１の構成では、レンズ保持部１０１を避けるために鏡筒枠１全体の外径が大きくなることを、レンズ保持部１０１に逃げ凹部１０２を設けることによって回避し、鏡筒枠１全体の外径の小型化を図るものである。
【００４８】
さらに、この鏡筒枠１では、図１５に示すように、一対の第１バリア羽根４と駆動リング２との間に引張コイルばねである引張りばね４ａを引っ張った状態で架設する。このため、第１バリア羽根４の回転軸棒４０３近くの所定位置から突設した引っ掛け突部であるバネ掛け部４０１には、引張りばね４ａの一端部を引っ掛ける。そして、引張りばね４ａの他端部は、駆動リング２の各バネ掛け部２０１に引っ掛ける。これにより図１５に示すように、第１バリア羽根４のレバー部４０２は、引張りばね４ａの付勢力で当接部２０３に圧接した状態を保つことになる。
【００４９】
この鏡筒枠１には、一対の第１バリア羽根４と同期して開閉動作を行うよう一対の第２バリア羽根３を装着する。図１に示すように、バリア羽根３は、その基端部に、回転中心軸３０３を突設する。さらに、第２バリア羽根３には、回転中心軸３０３と同軸上に形成された軸部にトーションバネ３ａを組み付ける。
【００５０】
この第２バリア羽根３は、回転中心軸３０３を第２軸受孔１０３（図２に図示）に軸着し、そのトーションバネ３ａの一端を鏡筒枠１に係止し、他端を第２バリア羽根３の中間部から突設したバネ掛け部３０１に係止して組み付ける。このように組み付けられた一対のバリア羽根３は、それぞれトーションバネ３ａの付勢力によって、各々対応するバリア羽根４に圧接される状態となっており、バリア羽根４の回転駆動に追従して開閉動作が行われるように構成されている。
【００５１】
また、この鏡筒枠１には、レンズ保持部１０１に装着した、駆動リング２、第２バリア羽根３及び第１バリア羽根４を収納保持するため、第１バリア羽根４の前側に、バリアカバー５を、バヨネット構造で固定して配置する。さらに、この鏡筒枠１には、バリアカバー５が回転して外れることを防ぐためのバリアキャップ６を、バリアカバー５の前方に取り付ける。
【００５２】
次に、上述のように構成したバリア装置付きレンズ鏡筒におけるバリア装置の開閉動作について説明する。
【００５３】
まず、この鏡筒枠１で、第１バリア羽根４及び第２バリア羽根３を全閉状態（図１１の状態）から全開状態（図７の状態）にする場合について説明する。この場合には、鏡筒枠１を、鏡筒の繰り出し動作により沈胴状態から撮影状態に移動させる動作を行う。この動作では、図示しないが、駆動手段によってカム筒を回動する。このカム筒の回転に連動して、鏡筒枠１は、前方に繰り出すと共に、駆動リング２の駆動部２０４がカム筒に形成された動力伝達面から離れる。すると駆動リング２は、チャージされていた引張りバネ４ａのバネ力により光軸を中心に時計回り（図１５の矢印Ｒ方向）に回転する。
【００５４】
この駆動リング２の回転により、第１バリア羽根４は、駆動リング２に追従して回転中心軸４０３を中心に反時計回り（図１５の矢印Ｓ方向）に回転する。さらに、第２バリア羽根３は、第１バリア羽根４が反時計回り（図１５の矢印Ｓ方向）に回転する動作に追従して、回転中心軸３０３を中心に、時計回りに回転する。この動作により、第１バリア羽根４及び第２バリア羽根３は、バリアカバー５の開口部から退避し、レンズ１０の前面を露出することで全開状態となる（図７の状態）。
【００５５】
次に、第１バリア羽根４及び第２バリア羽根３を全開状態（図７の状態）から全閉状態（図１１の状態）にする場合について説明する。
【００５６】
この場合には、図示しないが、駆動手段によりカム筒を反転させる。このカム筒の反転に伴い鏡筒枠１は、後方に繰り込む動作を行う。これと共に、駆動リング２の駆動部２０４がカム筒の動力伝達面と当接し、駆動リング２は、引張りバネ４ａをチャージさせながら光軸Ｏを中心に反時計回り（図１５の矢印Ｒと逆方向）に回転する。この駆動リング２の回転により、第１バリア羽根４は、引張りバネ４ａに引っ張られて回転中心軸４０３を中心に時計回り（図１５の矢印Ｓと逆方向）に回転する。さらに、第２バリア羽根３は、第１バリア羽根４が時計回りに回転する動作に追従して、回転中心軸３０３を中心に、反時計回りに回転する。この動作により、第１バリア羽根４及び第２バリア羽根３は、バリアカバー５の開口部内に進入して相互に閉じ合わされることにより、レンズ１０の前面を覆う全閉状態となる（図１１の状態）。
【００５７】
なお、上述した実施の形態で鏡筒枠１のレンズ保持部１０１に、レンズ１０を熱カシメによって固定する場合について説明したが、本発明は、これに限定されるものではない。本発明は、レンズ保持部１０１に種々の固定手段でレンズ１０を固定した場合にも適用できる。例えば、レンズ保持部１０１に紫外線硬化接着材によってレンズ１０を貼着するときに、レンズ固定枠部１１０Ａに接着剤がはみ出して突部が形成される場合又はその他の事情で突部が形成される場合にも適用できることは勿論である。
【図面の簡単な説明】
【００５８】
【図１】本発明の実施の形態に係わるバリア装置付きレンズ鏡筒の要部となる部品を示す分解斜視図である。
【図２】鏡筒枠を取り出して示す拡大斜視図である。
【図３】駆動リングを取り出して示す正面図である。
【図４】駆動リングを取り出して示す斜視図である。
【図５】駆動リングを取り出して示す背面図である。
【図６】駆動リングの外径嵌合部が設けられた部分を取り出して示す要部拡大背面図である。
【図７】第１バリア羽根及び第２バリア羽根の全開状態を示すバリア装置の正面図である。
【図８】図７のＡ−Ａ線による切断面を示す断面図である。
【図９】図８のＢ−１範囲である、第１バリア羽根及び第２バリア羽根の全開状態における鏡筒枠にレンズを固定する構造部分を取り出して示す要部拡大断面図である。
【図１０】図８のＣ−１範囲である、第１バリア羽根及び第２バリア羽根の全開状態における鏡筒枠にレンズを固定する他の構造部分を取り出して示す要部拡大断面図である。
【図１１】第１バリア羽根及び第２バリア羽根の全閉状態を示すバリア装置の正面図である。
【図１２】図１１のＦ−Ｆ線による切断面を示す断面図である。
【図１３】図１１のＢ−２範囲である、第１バリア羽根及び第２バリア羽根の全閉状態における鏡筒枠にレンズを固定する構造部分を取り出して示す要部拡大断面図である。
【図１４】図１１のＣ−２範囲である、第１バリア羽根及び第２バリア羽根の全閉状態における鏡筒枠にレンズを固定する他の構造部分を取り出して示す要部拡大断面図である。
【図１５】鏡筒枠に駆動リングと第１バリア羽根とを取り付けた状態を示す正面図である。
【符号の説明】
【００５９】
１  鏡筒枠
２  駆動リング
３  第２バリア羽根
４  第１バリア羽根
１０  レンズ１
１０１  レンズ保持部
１０２  逃げ凹部
１０３  第２軸受孔
１０４  第１軸受孔
１０５  熱カシメ形状凸部
１１０  軸受保持部
１１０Ａ  レンズ固定枠部
１１０Ｂ  軸受部
１１１  リング板部
１２３  突部
１３０  周側軸受面部
２００  嵌合レール部
２０１  バネ掛け部
２０２  補強用リブ部
２０２Ａ  前方側端面
２０３  当接部
２１０  第１補助部材
２１１  第２補助部材
３０３  回転中心軸
４０２  レバー部
４０３  回転軸棒
【図１】
0005173451.tif 000002
【図２】
0005173451.tif 000003
【図３】
0005173451.tif 000004
【図４】
0005173451.tif 000005
【図５】
0005173451.tif 000006
【図６】
0005173451.tif 000007
【図７】
0005173451.tif 000008
【図８】
0005173451.tif 000009
【図９】
0005173451.tif 000010
【図１０】
0005173451.tif 000011
【図１１】
0005173451.tif 000012
【図１２】
0005173451.tif 000013
【図１３】
0005173451.tif 000014
【図１４】
0005173451.tif 000015
【図１５】
0005173451.tif 000016